(57)【要約】【課題】接触態様が異なる各利用者に対して接触対象が及ぼす影響を把握する。【解決手段】本願に係る生成装置は、所定の接触対象に対する各利用者の接触態様（例えば、接触対象である広告に利用者が接触したか否か）を推定する推定部と、それぞれ接触態様が異なる複数の利用者群（例えば、広告に接触した利用者群と、広告に接触しなかった利用者群）の情報を用いて、所定の接触対象が各利用者に対して及ぼす影響力を示す情報を生成する生成部とを有することを特徴とする。【選択図】図１
2020177532.tif 000002
【特許請求の範囲】
【請求項１】
所定の接触対象に対する各利用者の接触態様を推定する推定部と、
それぞれ前記接触態様が異なる複数の利用者群の情報を用いて、前記所定の接触対象が各利用者に対して及ぼす影響力を示す情報を生成する生成部と
を有することを特徴とする生成装置。
【請求項２】
前記利用者の位置情報を取得する取得部
をさらに有し、
前記推定部は、
各利用者の位置情報に基づいて、前記所定の接触対象に対する各利用者の接触態様を推定する
ことを特徴とする請求項１に記載の生成装置。
【請求項３】
前記推定部は、
前記所定の接触対象として、所定の広告に対する各利用者の接触態様を推定し、
前記生成部は、
前記広告に対する接触態様が異なる複数の利用者群の情報を用いて、前記広告の広告効果を示す情報を生成する
ことを特徴とする請求項１または２に記載の生成装置。
【請求項４】
前記生成部は、
前記接触対象が異なる複数の利用者群について、各利用者群に属する利用者の数を示す情報を、前記影響力を示す情報として生成する
ことを特徴とする請求項１〜３のうちいずれか１つに記載の生成装置。
【請求項５】
前記推定部は、
前記所定の接触対象に接触したか否かを推定し、
前記生成部は、
前記所定の接触対象に接触した利用者群と、前記所定の接触対象に接触していない利用者群とを示す情報を生成する
ことを特徴とする請求項１〜４のうちいずれか１つに記載の生成装置。
【請求項６】
前記生成部は、
前記所定の接触対象に接触した利用者群である接触群を特定するとともに、当該接触群に属する利用者と所定の共通性を有する利用者群を比較群として特定し、接触群の情報と利用者群の情報とを用いて、前記影響力を示す情報を生成する
ことを特徴とする請求項５に記載の生成装置。
【請求項７】
前記生成部は、
前記接触群に属する利用者と行動が類似する利用者群を比較群として特定する
ことを特徴とする請求項６に記載の生成装置。
【請求項８】
前記生成部は、
前記所定の接触対象が設置された場所を訪問した利用者から前記接触群と前記比較群とを特定する
ことを特徴とする請求項７に記載の生成装置。
【請求項９】
前記生成部は、
共通する移動手段により移動する利用者のうち、移動中に前記所定の接触対象に接触した利用者を接触群とし、移動中に前記所定の接触対象に接触しなかった利用者を比較群として特定する
ことを特徴とする請求項６〜８のうちいずれか１つに記載の生成装置。
【請求項１０】
前記生成部は、
前記接触群に属する利用者と属性が類似する利用者群を比較群として特定する
ことを特徴とする請求項６〜９のうちいずれか１つに記載の生成装置。
【請求項１１】
前記生成部は、
所定の共通性を有する利用者を特定し、当該特定した利用者のうち前記所定の接触対象に接触した利用者群と、当該特定した利用者のうち前記所定の接触対象に接触していない利用者群とを示す情報を生成する
ことを特徴とする請求項５に記載の生成装置。
【請求項１２】
各利用者が前記所定の接触対象と関連する所定の行動を行ったか否かを特定する特定部
をさらに有し、
前記生成部は、
各利用者群に属する利用者のうち、前記所定の行動を行った利用者の情報と、前記所定の行動を行っていない利用者の情報とを用いて、前記影響力を示す情報を生成する
ことを特徴とする請求項１〜１１のうちいずれか１つに記載の生成装置。
【請求項１３】
前記推定部は、
前記接触態様として、前記所定の接触対象に接触した日時を推定し、
前記生成部は、
前記所定の接触対象に接触した日時が異なる複数の利用者群を示す情報を生成する
ことを特徴とする請求項１〜１２のうちいずれか１つに記載の生成装置。
【請求項１４】
前記推定部は、
前記所定の接触対象として、所定の移動体に対する各利用者の接触態様を推定する
ことを特徴とする請求項１〜１３のうちいずれか１つに記載の生成装置。
【請求項１５】
生成装置が実行する生成方法であって、
所定の接触対象に対する各利用者の接触態様を推定する推定工程と、
それぞれ前記接触態様が異なる複数の利用者群の情報を用いて、前記所定の接触対象が各利用者に対して及ぼす影響力を示す情報を生成する生成工程と
を含むことを特徴とする生成方法。
【請求項１６】
所定の接触対象に対する各利用者の接触態様を推定する推定手順と、
それぞれ前記接触態様が異なる複数の利用者群の情報を用いて、前記所定の接触対象が各利用者に対して及ぼす影響力を示す情報を生成する生成手順と
をコンピュータに実行させるための生成プログラム。
【発明の詳細な説明】
【技術分野】
【０００１】
本発明は、生成装置、生成方法及び生成プログラムに関する。
【背景技術】
【０００２】
近年、利用者が接触した接触対象の効果を判定する技術が知られている。このような技術の一例として、車両の搭乗者が広告を見た際に当該搭乗者の広告の嗜好を判定する技術が知られている。
【先行技術文献】
【特許文献】
【０００３】
【特許文献１】特開２０１４−０５２５１８号公報
【特許文献２】特開２０１０−０６１２１８号公報
【発明の概要】
【発明が解決しようとする課題】
【０００４】
しかしながら、上述した従来技術では、接触態様が異なる各利用者に対して接触対象が及ぼす影響を把握できるとは限らない。
【０００５】
例えば、上述した従来技術では、車両の搭乗者の視線の先にある広告の内容と、それを見たときの生体情報とを取得し、搭乗者の広告に対する嗜好を判定する処理や、ウェブ広告が利用者に実際に視聴されているかどうかを判別し、広告の実際の視聴時間を測定する処理が記載されているに過ぎない。したがって、上述した従来技術では、接触態様が異なる各利用者に対して接触対象が及ぼす影響を把握できるとは限らない。
【０００６】
本願は、上記に鑑みてなされたものであって、接触態様が異なる各利用者に対して接触対象が及ぼす影響を把握することを目的とする。
【課題を解決するための手段】
【０００７】
本願に係る生成装置は、所定の接触対象に対する各利用者の接触態様を推定する推定部と、それぞれ前記接触態様が異なる複数の利用者群の情報を用いて、前記所定の接触対象が各利用者に対して及ぼす影響力を示す情報を生成する生成部とを有することを特徴とする。
【発明の効果】
【０００８】
実施形態の一態様によれば、接触態様が異なる各利用者に対して接触対象が及ぼす影響を把握できるという効果を奏する。
【図面の簡単な説明】
【０００９】
【図１】図１は、実施形態に係る生成処理の一例を示す図である。
【図２】図２は、実施形態に係る生成システムの構成例を示す図である。
【図３】図３は、実施形態に係る生成装置の構成例を示す図である。
【図４】図４は、実施形態に係る位置情報記憶部の一例を示す図である。
【図５】図５は、実施形態に係る利用者情報記憶部の一例を示す図である。
【図６】図６は、実施形態に係る生成処理の手順の一例を示すフローチャートである。
【図７】図７は、生成装置の機能を実現するコンピュータの一例を示すハードウェア構成図である。
【発明を実施するための形態】
【００１０】
以下に本願に係る生成装置、生成方法及び生成プログラムを実施するための形態（以下、「実施形態」と呼ぶ）について図面を参照しつつ詳細に説明する。なお、この実施形態により本願に係る生成装置、生成方法及び生成プログラムが限定されるものではない。また、以下の各実施形態において同一の部位には同一の符号を付し、重複する説明は省略される。
【００１１】
〔１．実施形態〕
図１を用いて、本実施形態の生成装置等により実現される生成処理を説明する。図１は、実施形態に係る生成処理の一例を示す図である。図１に示す例において、生成システム１は、利用者端末１０、広告主端末２０及び生成装置１００を有する。利用者端末１０と、広告主端末２０と、生成装置１００とは、図示しない所定の通信網を介して、有線又は無線により通信可能に接続される。なお、図１に示す生成システム１は、複数台の利用者端末１０や、複数台の広告主端末２０、複数台の生成装置１００が含まれてもよい。
【００１２】
図１に示す利用者端末１０は、利用者によって利用される情報処理装置である。例えば、利用者端末１０は、デスクトップ型ＰＣ（Personal  Computer）や、ノート型ＰＣや、タブレット端末や、携帯電話機や、ＰＤＡ（Personal  Digital  Assistant）等である。なお、図１に示す例において、利用者端末１０は、利用者によって利用されるスマートフォンやタブレット等のスマートデバイスである場合を示す。また、図１に示す例において、利用者端末１０は、利用者端末１０が有する各種センサ（例えば、ＧＰＳ（Global  Positioning  System）機能や、モーションセンサなど）が検知した情報に基づく利用者の位置情報を、生成装置１００に送信する。また、図１に示す例において、利用者端末１０は、外部のサーバ装置が配信する各種サービスや、利用者端末１０にインストールされた各種アプリケーション（以下、「アプリ」と記載する場合がある）における利用者の利用履歴、位置情報などに基づく行動情報を、生成装置１００に送信する。
【００１３】
また、図１に示す例において、利用者端末１０を利用する利用者に応じて、利用者端末１０を利用者端末１０−１〜１０−Ｎ（Ｎは任意の自然数）として説明する。例えば、利用者端末１０−１は、利用者ＩＤ「Ｕ１」により識別される利用者（利用者Ｕ１）により使用される利用者端末１０である。また、以下では、利用者端末１０−１〜１０−Ｎについて、特に区別なく説明する場合には、利用者端末１０と記載する。
【００１４】
図１に示す広告主端末２０は、広告主によって利用される情報処理装置である。例えば、広告主端末２０は、デスクトップ型ＰＣや、ノート型ＰＣや、タブレット端末や、携帯電話機や、ＰＤＡ等である。なお、図１に示す例において、広告主端末２０は、広告主Ａ１によって利用されるノート型ＰＣである場合を示す。
【００１５】
また、図１に示す例において、広告主端末２０は、利用者が広告に接触したか否かの判定基準となる情報（以下、「接触条件」と記載する場合がある）を、生成装置１００に送信する。また、広告主端末２０は、利用者の行動の指定に関する情報（以下、「行動条件」と記載する場合がある）を、生成装置１００に送信する。
【００１６】
図１に示す生成装置１００は、広告主Ａ１によって管理される広告が、利用者に対して及ぼす影響力を示す影響力情報を生成する情報処理装置である。図１の例において、生成装置１００は、利用者の位置情報を利用者端末１０から取得し、位置情報記憶部に格納する。また、生成装置１００は、利用者の行動情報を利用者端末１０から取得し、当該行動情報と、当該行動情報から推定される利用者の属性に関する属性情報とを利用者情報記憶部に格納する。また、生成装置１００は、広告主端末２０から送信される接触条件及び行動条件を管理する。
【００１７】
以下、図１を用いて、生成装置１００が行う変換処理について説明する。なお、以下の説明では、屋外において広告の表示や設置等を行う事業者が、広告主Ａ１が入稿した広告＃１をエリアＡ内に設置したものとする。なお、図１の例における、広告＃１は、看板広告や、ディスプレイ広告、ポスター広告などといった各種の広告媒体を用いた広告であってよい。
【００１８】
まず、生成装置１００は、利用者端末１０から位置情報を取得する（ステップＳ１１）。例えば、図１の例において、生成装置１００は、利用者端末１０が有するＧＰＳ機能によって取得された位置情報（例えば、経度や緯度を示す具体的な数値）と、位置情報に対応する日時とを、所定期間ごとに各利用者端末１０から取得する。
【００１９】
続いて、生成装置１００は、広告主端末２０から接触条件及び行動条件を受け付ける（ステップＳ１２）。ここで、図１の例において、生成装置１００は、広告＃１が設置された位置から所定の範囲（例えば、１０メートル、１００メートル）内に進入した利用者を広告＃１に接触した利用者とする接触条件を、広告主端末２０から受け付けたものとする。また、生成装置１００は、利用者の行動「広告＃１に関連する関連店舗へ来店」を指定する行動条件を広告主端末２０から受け付けたものとする。
【００２０】
続いて、生成装置１００は、位置情報が接触条件を満たす利用者を接触群として特定する（ステップＳ１３）。例えば、図１の例において、生成装置１００は、ステップＳ１１において収集した位置情報に基づき、広告＃１の設置後に接触条件を満たした利用者を広告＃１に接触した利用者と推定することにより、広告＃１に接触した利用者群（接触群Ｍ１）を特定する。
【００２１】
続いて、生成装置１００は、接触群と行動又は属性の少なくとも一方、若しくは、両方が共通する利用者のうち、接触群に属さない利用者を比較群として特定する（ステップＳ１４）。なお、どのような利用者を比較群とするかについては、任意の設定が可能であり、このような比較群とする利用者の条件は、広告主Ａ１により登録されたものであってもよい。すなわち、生成装置１００は、比較群の条件を広告主Ａ１から受け付けてもよい。
【００２２】
例えば、図１の例において、生成装置１００は、位置情報記憶部及び利用者情報記憶部から、接触群Ｍ１に属する各利用者に対応付けられた行動及び属性に関する情報（行動情報及び属性情報）を抽出する。そして、生成装置１００は、接触群Ｍ１に属する利用者のうち、所定の閾値（例えば、接触群Ｍ１に属する利用者全体の８割）以上の利用者に対応付けられた行動又は属性に関する情報、若しくは、行動及び属性に関する情報を、接触群Ｍ１に属する各利用者に共通する行動や属性として特定する。
【００２３】
ここで、図１の例において、接触群Ｍ１に属する利用者の行動情報に基づき、接触群Ｍ１に属する利用者に共通する行動として、「毎日エリアＡを訪問する」ことが特定されたものとする。この場合、生成装置１００は、位置情報記憶部及び利用者情報記憶部に格納された情報に基づき、行動に関する情報として、「毎日エリアＡを訪問する」ことが特定された利用者のうち、接触群Ｍ１に属さない利用者を広告＃１に接触していない利用者と推定することにより、広告＃１に接触していない利用者群（比較群Ｃ１）を特定する。
【００２４】
続いて、生成装置１００は、接触群及び比較群の各群において、行動条件を満たす利用者の数及び行動条件を満たさない利用者の数を特定する（ステップＳ１５）。例えば、図１の例において、生成装置１００は、利用者の行動情報に基づき、接触群Ｍ１及び比較群Ｃ１の各群において、「広告＃１に関連する関連店舗へ来店」した利用者の数及び「広告＃１に関連する関連店舗へ来店」しなかった利用者の数を特定する。
【００２５】
続いて、生成装置１００は、ステップＳ１５において特定した利用者の数から広告の影響力を示す影響力情報を生成する（ステップＳ１６）。例えば、図１の例において、生成装置１００は、ステップＳ１５において特定した利用者の数を示す情報や、接触群Ｍ１に属する利用者のうち「広告＃１に関連する関連店舗へ来店」した利用者の数の割合と、比較群Ｃ１に属する利用者のうち「広告＃１に関連する関連店舗へ来店」した利用者の数の割合とを対比した情報（グラフＧ１）などを影響力情報として生成する。
【００２６】
続いて、生成装置１００は、ステップＳ１６において生成した影響力情報を広告主端末２０に提供する（ステップＳ１７）。
【００２７】
なお、図１の例では、広告主から提供された接触条件を満たした利用者を広告に接触した利用者と推定する例を示したが、例えば、利用者端末１０と通信可能なウェアラブルデバイスを利用者が身に付けることで検出した利用者の視線に基づき、利用者が広告に接触したか否か推定してもよい。
【００２８】
以上のように、実施形態に係る生成装置１００は、屋外に設置された広告に接触した利用者を位置情報に基づいて推定することにより、広告に接触した接触群と、接触群に属する利用者と行動や属性が共通する利用者であって、広告に接触していない利用者が属する比較群とを対比することにより、屋外に設置された広告が及ぼす影響力を把握することができる。すなわち、実施形態に係る生成装置１００は、屋外の接触対象について接触態様が異なる各利用者に対して、当該接触対象が及ぼす影響を把握できる。
【００２９】
〔２．生成処理システムの構成〕
次に、上述した生成処理を実現するための生成システム１について図２を用いて説明する。図２は、実施形態に係る生成システムの構成例を示す図である。図２に示すように、実施形態に係る生成システム１は、利用者端末１０と、広告主端末２０と、生成装置１００とを含む。利用者端末１０、広告主端末２０及び生成装置１００は、ネットワークＮを介して有線または無線により相互に通信可能に接続される。なお、ネットワークＮは、ＬＡＮ（Local  Area  Network）、ＷＡＮ（Wide  Area  Network）、電話網（携帯電話網、固定電話網等）、地域ＩＰ（Internet  Protocol）網、インターネット等の通信ネットワークである。ネットワークＮには、有線ネットワークが含まれていてもよいし、無線ネットワークが含まれていてもよい。また、図２に示す生成システム１には、複数台の利用者端末１０や、複数台の広告主端末２０、複数台の生成装置１００が含まれてもよい。
【００３０】
利用者端末１０は、利用者によって利用される情報処理装置である。利用者端末１０は、利用者端末１０が有する各種センサ（例えば、ＧＰＳ機能や、モーションセンサなど）が検知した情報に基づく利用者の位置情報を、生成装置１００に送信する。また、利用者端末１０は、外部のサーバ装置が配信する各種サービスや、利用者端末１０にインストールされた各種アプリケーションにおける利用者の利用履歴、位置情報などに基づく行動情報を、生成装置１００に送信する。また、利用者端末１０は、各種センサや、各種アプリケーションの処理を実現する制御情報を生成装置１００から受け取った場合には、制御情報に従って処理を実現する。
【００３１】
広告主端末２０は、広告主によって利用される情報処理装置である。広告主端末２０は、利用者が広告に接触したか否かの判定基準となる接触条件や、利用者の行動の指定に関する行動条件を生成装置１００に送信する。なお、広告主端末２０は、接触条件及び行動条件の送信処理を実現する制御情報を生成装置１００から受け取った場合には、制御情報に従って送信処理を実現する。
【００３２】
生成装置１００は、広告主によって管理される広告が、利用者に対して及ぼす影響力を示す影響力情報を生成する情報処理装置である。生成装置１００は、利用者の位置情報を利用者端末１０から取得し、後述する位置情報記憶部１２１に格納する。また、生成装置１００は、利用者の行動情報を利用者端末１０から取得し、当該行動情報と、当該行動情報から推定される利用者の属性に関する属性情報とを後述する利用者情報記憶部１２２に格納する。また、生成装置１００は、広告主端末２０から送信される接触条件及び行動条件を管理する。なお、生成装置１００は、所定のアプリケーションのデータそのものを配信するサーバであってもよい。また、生成装置１００は、利用者端末１０や、広告主端末２０に制御情報を配信する配信装置として機能してもよい。ここで、制御情報は、例えば、ＪａｖａＳｃｒｉｐｔ（登録商標）等のスクリプト言語やＣＳＳ（Cascading  Style  Sheets）等のスタイルシート言語により記述される。なお、生成装置１００から配信される所定のアプリケーションそのものを制御情報とみなしてもよい。
【００３３】
〔３．生成装置の構成〕
次に、図３を用いて、生成装置１００の構成について説明する。図３は、実施形態に係る生成装置の構成例を示す図である。図３に示すように、生成装置１００は、通信部１１０と、記憶部１２０と、制御部１３０とを有する。
【００３４】
（通信部１１０について）
通信部１１０は、例えば、ＮＩＣ（Network  Interface  Card）等によって実現される。そして、通信部１１０は、ネットワークＮと有線または無線で接続され、利用者端末１０、広告主端末２０等との間で情報の送受信を行う。
【００３５】
（記憶部１２０について）
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。図３に示すように、記憶部１２０は、位置情報記憶部１２１及び利用者情報記憶部１２２を有する。
【００３６】
（位置情報記憶部１２１について）
位置情報記憶部１２１は、利用者の位置情報を格納する。ここで、図４を用いて、位置情報記憶部１２１が記憶するクエリに関する情報の一例を説明する。図４は、実施形態に係る位置情報記憶部の一例を示す図である。図４の例では、位置情報記憶部１２１は、「利用者ＩＤ」、「日時」、「移動手段」、「位置情報」といった項目を有する。
【００３７】
「利用者ＩＤ」は、利用者を識別するための識別情報を示す。「日時」は、位置情報に対応する日時を示す。「移動手段」は、位置情報に対応する位置への移動に用いられた移動手段を示す。「位置情報」は、利用者の位置情報を示す。なお、図４では、「位置情報」に「位置情報＃１」といった概念的な情報が格納される例を示したが、実際には、緯度や経度を示す情報が格納されてもよい。
【００３８】
すなわち、図４では、利用者ＩＤ「Ｕ１」によって識別される利用者が、移動手段「徒歩」により「日時＃１」の時点において、「位置情報＃１」に位置する例を示す。
【００３９】
（利用者情報記憶部１２２について）
利用者情報記憶部１２２は、利用者の属性や行動に関する利用者情報を格納する。ここで、図５を用いて、利用者情報記憶部１２２が記憶する利用者情報の一例を説明する。図５は、実施形態に係る利用者情報記憶部の一例を示す図である。図５の例では、利用者情報記憶部１２２は、「利用者ＩＤ」、「属性情報」、「行動情報」といった項目を有する。
【００４０】
「利用者ＩＤ」は、利用者を識別するための識別情報を示す。「属性情報」は、利用者の属性に関する情報を示す。なお、図５では、「属性情報」に「属性情報＃１」といった概念的な情報が格納される例を示したが、実際には、利用者のサイコグラフィック属性やデモグラフィック属性を示す情報が格納されてもよい。
【００４１】
「行動情報」は、利用者の行動に関する情報を示し、「行動日時」、「行動内容」といった項目を有する。「行動日時」は、利用者の行動に対応する日時を示す。「行動内容」は、利用者の行動の内容を示す。なお、図５では、「行動内容」に「行動内容＃１」といった概念的な情報が格納される例を示したが、実際には、実店舗への来店の有無、商品の購入履歴、ネットワーク上の閲覧履歴などといった情報が格納されてもよい。
【００４２】
すなわち、図５では、利用者ＩＤ「Ｕ１」によって識別される利用者が、「属性情報＃１」を有し、「行動日時＃１」に「行動内容＃１」を実施した例を示す。
【００４３】
（制御部１３０について）
制御部１３０は、コントローラ（controller）であり、例えば、ＣＰＵ（Central  Processing  Unit）やＭＰＵ（Micro  Processing  Unit）等によって、生成装置１００内部の記憶装置に記憶されている各種プログラムがＲＡＭを作業領域として実行されることにより実現される。また、制御部１３０は、コントローラであり、例えば、ＡＳＩＣ（Application  Specific  Integrated  Circuit）やＦＰＧＡ（Field  Programmable  Gate  Array）等の集積回路により実現される。実施形態に係る制御部１３０は、図３に示すように、取得部１３１と、推定部１３２と、特定部１３３と、生成部１３４とを有し、以下に説明する情報処理の機能や作用を実現または実行する。
【００４４】
（取得部１３１について）
取得部１３１は、利用者の位置情報を取得する。例えば、図１の例において、取得部１３１は、利用者端末１０が有するＧＰＳ機能によって取得された位置情報（例えば、経度や緯度を示す具体的な数値）と、位置情報に対応する日時とを、所定期間ごとに各利用者端末１０から取得し、位置情報記憶部１２１に格納する。
【００４５】
（推定部１３２について）
推定部１３２は、所定の接触対象に対する各利用者の接触態様を推定する。例えば、図１の例において、推定部１３２は、利用者の位置情報と、広告主端末２０から受け付けた接触条件に基づき、利用者の接触態様を推定する。
【００４６】
また、推定部１３２は、各利用者の位置情報に基づいて、所定の接触対象に対する各利用者の接触態様を推定してもよい。例えば、図１の例において、推定部１３２は、利用者の位置情報と、広告主端末２０から受け付けた接触条件に基づき、広告＃１に対する各利用者の接触態様を推定する。
【００４７】
また、推定部１３２は、所定の接触対象として、所定の広告に対する各利用者の接触態様を推定してもよい。例えば、図１の例において、推定部１３２は、看板広告や、ディスプレイ広告、ポスター広告などといった各種の広告媒体を用いた広告であって、屋外に設置される広告である広告＃１に対する各利用者の接触態様を推定する。
【００４８】
また、推定部１３２は、所定の接触対象に接触したか否かを推定してもよい。例えば、図１の例において、推定部１３２は、位置情報に基づき、広告主端末２０から受け付けた接触条件を、広告＃１の設置後に満たした利用者を広告＃１に接触した利用者と推定する。
【００４９】
また、推定部１３２は、接触態様として、所定の接触対象に接触した日時を推定してもよい。例えば、図１の例において、推定部１３２は、広告主端末２０から受け付けた接触条件を満たした位置情報に対応する日時を、利用者が広告＃１に接触した日時と推定する。
【００５０】
また、推定部１３２は、所定の接触対象として、所定の移動体に対する各利用者の接触態様を推定してもよい。例えば、推定部１３２は、トラック広告や、宣伝カー、交通手段（例えば、電車、バス等）の内外に設置された広告などに対する各利用者の接触態様を推定する。
【００５１】
（特定部１３３について）
特定部１３３は、各利用者が所定の接触対象と関連する所定の行動を行ったか否かを特定する。例えば、図１の例において、特定部１３３は、行動情報が広告主端末２０から受け付けた行動条件「広告＃１に関連する関連店舗へ来店」を満たすか否かに基づき、各利用者が広告＃１と関連する行動を行ったか否かを特定する。
【００５２】
（生成部１３４について）
生成部１３４は、それぞれ接触態様が異なる複数の利用者群の情報を用いて、所定の接触対象が各利用者に対して及ぼす影響力を示す情報を生成する。例えば、図１の例において、生成部１３４は、広告＃１に接触した接触群Ｍ１と、広告＃１に接触していない比較群Ｃ１との行動情報に基づいて、広告＃１の影響力を示す影響力情報を生成する。
【００５３】
また、生成部１３４は、広告に対する接触態様が異なる複数の利用者群の情報を用いて、広告の広告効果を示す情報を生成してもよい。例えば、図１の例において、生成部１３４は、接触群Ｍ１及び比較群Ｃ１の各群に属する利用者の行動情報が、広告主端末２０から受け付けた行動条件を満たすか否かに基づいて、広告＃１の広告効果を示す影響力情報を生成する。
【００５４】
また、生成部１３４は、接触対象が異なる複数の利用者群について、各利用者群に属する利用者の数を示す情報を、影響力を示す情報として生成してもよい。例えば、図１の例において、生成部１３４は、接触群Ｍ１及び比較群Ｃ１の各群に属する利用者の数を示す影響力情報を生成する。
【００５５】
また、生成部１３４は、所定の接触対象に接触した利用者群と、所定の接触対象に接触していない利用者群とを示す情報を生成してもよい。例えば、図１の例において、生成部１３４は、広告＃１に接触した接触群Ｍ１と、広告＃１に接触していない比較群Ｃ１とを示す影響力情報を生成する。
【００５６】
また、生成部１３４は、所定の接触対象に接触した利用者群である接触群を特定するとともに、当該接触群に属する利用者と所定の共通性を有する利用者群を比較群として特定し、接触群の情報と利用者群の情報とを用いて、影響力を示す情報を生成してもよい。例えば、図１の例において、生成部１３４は、接触群Ｍ１と行動もしくは属性の少なくとも一方、もしくは両方が共通する利用者のうち、接触群Ｍ１に属さない利用者を比較群Ｃ１として特定し、影響力情報を生成する。
【００５７】
また、生成部１３４は、接触群に属する利用者と行動が類似する利用者群を比較群として特定してもよい。例えば、図１の例において、生成部１３４は、接触群Ｍ１に属する利用者の行動情報に基づき、接触群Ｍ１に属する利用者に共通する行動として、「毎日エリアＡを訪問する」ことを特定する。そして、生成部１３４は、行動情報に基づき、「毎日エリアＡを訪問する」ことが特定された利用者のうち、接触群Ｍ１に属さない利用者を広告＃１に接触していない利用者と推定することにより、広告＃１に接触していない比較群Ｃ１を特定する。
【００５８】
また、生成部１３４は、所定の接触対象が設置された場所を訪問した利用者から接触群と比較群とを特定してもよい。例えば、図１の例において、生成部１３４は、広告＃１が設置されたエリアＡを訪問した利用者から接触群Ｍ１及び比較群Ｃ１を特定する。
【００５９】
また、生成部１３４は、共通する移動手段により移動する利用者のうち、移動中に所定の接触対象に接触した利用者を接触群とし、移動中に所定の接触対象に接触しなかった利用者を比較群として特定してもよい。例えば、図１の例において、生成部１３４は、徒歩により移動する利用者のうち、広告＃１に接触した接触群Ｍ１と、広告＃１に接触していない比較群Ｃ１とを特定する。
【００６０】
また、生成部１３４は、接触群に属する利用者と属性が類似する利用者群を比較群として特定してもよい。例えば、生成部１３４は、接触群に属する利用者の行動情報に基づき、接触群Ｍ１に属する利用者に共通する属性を特定し、行動情報に基づき当該属性が特定された利用者のうち、接触群に属さない利用者を比較群として特定する。
【００６１】
また、生成部１３４は、所定の共通性を有する利用者を特定し、当該特定した利用者のうち所定の接触対象に接触した利用者群と、当該特定した利用者のうち所定の接触対象に接触していない利用者群とを示す情報を生成してもよい。例えば、生成部１３４は、利用者情報記憶部１２２を参照し、行動情報もしくは属性情報の少なくとも一方、もしくは両方が共通する利用者群を特定する。そして、生成部１３４は、特定した利用者群のうち、広告に接触した利用者群と、広告に接触していない利用者群とを示す影響力情報を生成する。
【００６２】
また、生成部１３４は、各利用者群に属する利用者のうち、所定の行動を行った利用者の情報と、所定の行動を行っていない利用者の情報とを用いて、影響力を示す情報を生成してもよい。例えば、図１の例において、生成部１３４は、接触群Ｍ１に属する利用者のうち「広告＃１に関連する関連店舗へ来店」した利用者の数の割合と、比較群Ｃ１に属する利用者のうち「広告＃１に関連する関連店舗へ来店」した利用者の数の割合とを対比した情報を影響力情報として生成する。
【００６３】
また、生成部１３４は、所定の接触対象に接触した日時が異なる複数の利用者群を示す情報を生成してもよい。例えば、生成部１３４は、所定の期間（例えば、１時間、１日等）ごとの接触群及び比較群を示す影響力情報を生成する。
【００６４】
〔４．生成処理のフロー〕
ここで、図６を用いて、実施形態に係る生成装置１００の生成処理の手順について説明する。図６は、実施形態に係る生成処理の手順の一例を示すフローチャートである。
【００６５】
図６に示すように、生成装置１００は、利用者の位置情報を取得する（ステップＳ１０１）。続いて、生成装置１００は、接触対象に対する各利用者の接触態様を推定する（ステップＳ１０２）。例えば、図１の例において、生成装置１００は、位置情報が広告主端末２０から受け付けた接触条件を満たした利用者を広告＃１に接触した利用者と推定する。
【００６６】
続いて、生成装置１００は、各利用者が接触対象と対応する行動を行ったか否か特定する（ステップＳ１０３）。例えば、図１の例において、生成装置１００は、広告主端末２０から受け付けた行動条件を満たす利用者を、広告＃１と対応する行動を行った利用者と特定する。
【００６７】
続いて、生成装置１００は、接触態様が異なる各利用者に対し接触対象が及ぼす影響を示す情報を生成し（ステップＳ１０４）、処理を終了する。例えば、図１の例において、生成装置１００は、接触群Ｍ１に属する利用者のうち「広告＃１に関連する関連店舗へ来店」した利用者の数の割合と、比較群Ｃ１に属する利用者のうち「広告＃１に関連する関連店舗へ来店」した利用者の数の割合とを対比した情報を影響力情報として生成する。
【００６８】
〔５．変形例〕
上述の実施形態は一例を示したものであり、種々の変更及び応用が可能である。
【００６９】
〔５−１．接触対象について〕
上述の実施形態において、生成装置１００が、接触対象を広告とする例を示したが、生成装置１００は、広告に限らず、種々の対象を接触対象としてもよい。
【００７０】
〔５−２．利用者群について〕
上述の実施形態において、生成装置１００が、広告に接触した接触群と、広告に接触しなかった比較群とを特定し、広告の影響力を示す影響力情報を生成する例を示したが、生成装置１００の機能はこのような構成に限定されず、任意の関係性の利用者群を特定してもよい。例えば、生成装置１００は、第１の広告に接触し、第２の広告に接触しなかった第１接触群と、第１の広告に接触せず、第２の広告に接触した第２接触群とを特定し、第１の広告及び第２の広告のそれぞれが示す影響力情報を生成してもよい。
【００７１】
〔５−３．接触態様の推定について〕
上述の実施形態において、生成装置１００が広告の設置された位置から所定の範囲内に進入した利用者を広告に接触した利用者と推定する例を示したが、生成装置１００の機能はこのような構成に限定されず、どのような利用者を広告に接触した利用者と推定するかは任意の設定が可能である。例えば、広告が所定の交通手段（例えば、電車、バス、高速道路など）において設置されるものである場合、生成装置１００は、当該所定の交通手段を利用した利用者を広告に接触した利用者と推定してもよい。また、例えば、広告が所定のエリアで所定の時間帯に表示されるものである場合（例えば、ディスプレイ広告である場合）、生成装置１００は、当該所定のエリアに所定の時間帯に進入した利用者を広告に接触した利用者と推定し、接触群と特定してもよい。そして、生成装置１００は、所定の時間帯以外の時間に所定のエリアに進入した利用者を広告に接触しなかった利用者と推定し、比較群と特定してもよい
【００７２】
〔６．効果〕
上述してきたように、実施形態に係る生成装置１００は、取得部１３１と、推定部１３２と、特定部１３３と、生成部１３４とを有する。取得部１３１は、利用者の位置情報を取得する。推定部１３２は、所定の接触対象に対する各利用者の接触態様を推定する。特定部１３３は、各利用者が所定の接触対象と関連する所定の行動を行ったか否かを特定する。生成部１３４は、それぞれ接触態様が異なる複数の利用者群の情報を用いて、所定の接触対象が各利用者に対して及ぼす影響力を示す情報を生成する。
【００７３】
これにより、実施形態に係る生成装置１００は、接触態様が異なる複数の利用者群の情報を用いて接触対象の影響力を示す情報を生成するため、接触態様が異なる各利用者に対して接触対象が及ぼす影響を把握できる。
【００７４】
また、実施形態に係る生成装置１００において、例えば、推定部１３２は、各利用者の位置情報に基づいて、所定の接触対象に対する各利用者の接触態様を推定する。また、推定部１３２は、所定の接触対象として、所定の広告に対する各利用者の接触態様を推定する。そして、生成部１３４は、広告に対する接触態様が異なる複数の利用者群の情報を用いて、広告の広告効果を示す情報を生成する。また、生成部１３４は、接触対象が異なる複数の利用者群について、各利用者群に属する利用者の数を示す情報を、影響力を示す情報として生成する。
【００７５】
これにより、実施形態に係る生成装置１００は、広告に対する接触態様を推定し、広告効果を示す情報を生成するため、広告が及ぼす影響を把握できる。
【００７６】
また、実施形態に係る生成装置１００において、例えば、推定部１３２は、所定の接触対象に接触したか否かを推定する。そして、生成部１３４は、所定の接触対象に接触した利用者群と、所定の接触対象に接触していない利用者群とを示す情報を生成する。また、生成部１３４は、所定の接触対象に接触した利用者群である接触群を特定するとともに、当該接触群に属する利用者と所定の共通性を有する利用者群を比較群として特定し、接触群の情報と利用者群の情報とを用いて、影響力を示す情報を生成する。また、生成部１３４は、接触群に属する利用者と行動が類似する利用者群を比較群として特定する。また、生成部１３４は、所定の接触対象が設置された場所を訪問した利用者から接触群と比較群とを特定する。また、生成部１３４は、共通する移動手段により移動する利用者のうち、移動中に所定の接触対象に接触した利用者を接触群とし、移動中に所定の接触対象に接触しなかった利用者を比較群として特定する。また、生成部１３４は、接触群に属する利用者と属性が類似する利用者群を比較群として特定する。また、生成部１３４は、所定の共通性を有する利用者を特定し、当該特定した利用者のうち所定の接触対象に接触した利用者群と、当該特定した利用者のうち所定の接触対象に接触していない利用者群とを示す情報を生成する。
【００７７】
これにより、実施形態に係る生成装置１００は、接触群及び比較群を特定し、接触対象の影響力を示す情報を生成するため、接触態様が異なる各利用者に対して接触対象が及ぼす影響を把握できる。
【００７８】
また、実施形態に係る生成装置１００において、例えば、生成部１３４は、各利用者群に属する利用者のうち、所定の行動を行った利用者の情報と、所定の行動を行っていない利用者の情報とを用いて、影響力を示す情報を生成する。
【００７９】
これにより、実施形態に係る生成装置１００は、接触対象に関連する行動を各利用者群に属する利用者が行ったか否かに基づく情報を生成するため、接触態様が各利用者に対して接触対象が及ぼす影響を把握できる。
【００８０】
また、実施形態に係る生成装置１００において、例えば、推定部１３２は、接触態様として、所定の接触対象に接触した日時を推定する。そして、生成部１３４は、所定の接触対象に接触した日時が異なる複数の利用者群を示す情報を生成する。
【００８１】
これにより、実施形態に係る生成装置１００は、利用者が接触対象に接触する日時に応じて情報を生成するため、各利用者に対して接触対象が及ぼす影響を適切に把握できる。
【００８２】
また、実施形態に係る生成装置１００において、例えば、推定部１３２は、所定の接触対象として、所定の移動体に対する各利用者の接触態様を推定する。
【００８３】
これにより、実施形態に係る生成装置１００は、移動体である接触対象の接触態様を推定するため、移動体である接触対象が及ぼす影響を適切に把握できる。
【００８４】
〔７．ハードウェア構成〕
また、上述してきた各実施形態に係る生成装置は、例えば図７に示すような構成のコンピュータ１０００によって実現される。以下、生成装置１００を例に挙げて説明する。図７は、生成装置の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【００８５】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【００８６】
ＨＤＤ１４００は、ＣＰＵ１１００によって実行されるプログラム、及び、かかるプログラムによって使用されるデータ等を記憶する。通信インターフェイス１５００は、通信網５００（実施形態のネットワークＮに対応する）を介して他の機器からデータを受信してＣＰＵ１１００へ送り、また、通信網５００を介してＣＰＵ１１００が生成したデータを他の機器へ送信する。
【００８７】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【００８８】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【００８９】
例えば、コンピュータ１０００が生成装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、生成装置１００の記憶装置内の各データが格納される。コンピュータ１０００のＣＰＵ１１００は、これらのプログラムを記録媒体１８００から読み取って実行するが、他の例として、他の装置から所定の通信網を介してこれらのプログラムを取得してもよい。
【００９０】
〔８．その他〕
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【００９１】
また、上述した生成装置１００は、機能によっては外部のプラットフォーム等をＡＰＩ（Application  Programming  Interface）やネットワークコンピューティングなどで呼び出して実現するなど、構成は柔軟に変更できる。
【００９２】
また、特許請求の範囲に記載した「部」は、「手段」や「回路」などに読み替えることができる。例えば、取得部は、取得手段や取得回路に読み替えることができる。
【符号の説明】
【００９３】
１０      利用者端末
２０      広告主端末
１００    生成装置
１１０    通信部
１２０    記憶部
１２１    位置情報記憶部
１２２    利用者情報記憶部
１３０    制御部
１３１    取得部
１３２    推定部
１３３    特定部
１３４    生成部
【図１】
2020177532.tif 000003
【図２】
2020177532.tif 000004
【図３】
2020177532.tif 000005
【図４】
2020177532.tif 000006
【図５】
2020177532.tif 000007
【図６】
2020177532.tif 000008
【図７】
2020177532.tif 000009